(57)【要約】【課題】医療機器を用いて在宅療法を受ける患者に対してのみ医療用システムへの登録を許容する医療用サーバを提供する。【解決手段】医療用サーバ２０は、医療機器を用いて在宅療法を受ける患者に対して、医療機器に関する情報を提供する医療用システムに患者を登録する医療用サーバであって、通信部２５と、通信部２５を用いて、端末から、患者及び当該患者の在宅療法の治療情報を識別する患者に関する患者識別情報及び医療機器に関する機器識別情報を受信し、患者識別情報と機器識別情報とが関連付けられて記録されている管理表を参照して、受信した患者識別情報と受信した機器識別情報とが管理表に関連づけられて記録されているか否かを判定し、受信した患者識別情報と受信した機器識別情報とが管理表に関連付けられて記録されていると判定した場合、端末に対して、患者の情報を含む医療機器に関する情報を送信することを許容する処理部２１と、を備える。【選択図】図１
2019215720.tif 000002
【特許請求の範囲】
【請求項１】
医療機器を用いて在宅療法を受ける患者に対して、前記医療機器に関する情報を提供する医療用システムに前記患者を登録する医療用サーバであって、
通信部と、
前記通信部を用いて、端末から、前記患者及び当該患者の在宅療法の治療情報を識別する前記患者に関する患者識別情報及び前記医療機器に関する機器識別情報を受信し、前記患者識別情報と前記機器識別情報とが関連付けられて記録されている管理表を参照して、前記受信した患者識別情報と前記受信した機器識別情報とが前記管理表に関連づけられて記録されているか否かを判定し、前記受信した患者識別情報と前記受信した機器識別情報とが前記管理表に関連付けられて記録されていると判定した場合、前記端末に対して、前記患者の情報を含む前記医療機器に関する情報を送信することを許容する処理部と、
を備える医療用サーバ。
【請求項２】
前記通信部は、前記端末から、前記機器識別情報として、第１機器識別情報及び第２機器識別情報を受信する請求項１に記載の医療用サーバ。
【請求項３】
前記処理部は、前記受信した患者識別情報と、前記受信した第１機器識別情報と第２機器識別情報とが前記管理表に関連付けられて記録されていないと判定した場合、前記受信した患者識別情報及び前記受信した第１機器識別情報が第１の条件を満たし、且つ、前記受信した第１機器識別情報及び第２機器識別情報の内の少なくとも１つが第２の条件を満たすか否かを判定し、当該両条件が満たされている場合、前記端末に対して、前記受信した患者識別情報と前記受信した機器識別情報とが前記管理表に関連付けられて記録されていると判定した場合よりも制限された前記患者の情報を含む前記医療機器に関する情報を送信することを許容する請求項２に記載の医療用サーバ。
【請求項４】
前記第１の条件は、前記受信した患者識別情報及び前記受信した第１機器識別情報が、所定の文字数を有することであり、
前記第２の条件は、前記受信した第１機器識別情報又は第２機器識別情報が、所定の種類の文字が所定の数だけ所定の順番で配列された文字パターンを有することであり、
前記処理部は、前記両条件が満たされている場合、前記第２の条件を満たした前記受信した第１機器識別情報又は第２機器識別情報により識別される前記医療機器に関する情報であって、前記受信した患者識別情報と前記受信した機器識別情報とが前記管理表に関連付けられて記録されていると判定した場合よりも制限された前記患者の情報を含む前記医療機器に関する情報を送信することを許容する請求項３に記載の医療用サーバ。
【請求項５】
前記処理部は、前記受信した第１機器識別情報と第２機器識別情報とが前記管理表に関連付けられて記録されていないと判定した場合、所定の周期で、前記管理表を参照して、前記受信した患者識別情報と、前記受信した機器識別情報とが関連づけられて登録されているか否かを判定すること、
を含む請求項１〜４の何れか一項に記載の医療用サーバ。
【請求項６】
前記医療機器は、陽圧式人工呼吸補助装置であるか、又は、酸素濃縮装置であるか、又は、人工呼吸装置である請求項１〜５の何れか一項に記載の医療用サーバ。
【請求項７】
前記医療機器は、陽圧式人工呼吸補助装置又は人工呼吸装置であり、前記患者の情報を含む前記医療機器に関する情報は、前記医療機器の取扱情報、前記患者に装着される装具に関する情報、若しくは、前記医療機器を用いた前記患者の治療に関する情報であるか、又は、
前記医療機器は、酸素濃縮装置であり、前記患者の情報を含む前記医療機器に関する情報は、前記医療機器の取扱情報、前記患者に装着される装具に関する情報、若しくは、前記医療機器を用いた前記患者の治療に関する情報である請求項６に記載の医療用サーバ。
【請求項８】
医療機器を用いて在宅療法を受ける患者に対して、前記医療機器に関する情報を提供する医療用システムであって、
前記患者及び当該患者の在宅療法の治療情報を識別する前記患者に関する患者識別情報及び前記医療機器に関する機器識別情報を送信する端末と、
通信部と、
前記通信部を用いて、前記端末から前記患者識別情報及び前記機器識別情報を受信し、前記患者識別情報と前記機器識別情報とが関連付けられて記録されている管理表を参照して、前記受信した患者識別情報と前記受信した機器識別情報とが前記管理表に関連づけられて記録されているか否かを判定し、前記受信した患者識別情報と前記受信した機器識別情報とが前記管理表に関連付けられて記録されていると判定した場合、前記端末に対して、前記患者の情報を含む前記医療機器に関する情報を送信することを許容する処理部と、
を有する医療用サーバと、
を備える医療用システム。
【請求項９】
医療機器を用いて在宅療法を受ける患者に対して、前記医療機器に関する情報を提供する医療用システムに前記患者を登録する端末であって、
前記端末は、前記患者及び当該患者の在宅療法の治療情報を識別する前記患者に関する患者識別情報及び前記医療機器に関する機器識別情報を、医療用サーバであって、前記端末から前記患者識別情報及び前記機器識別情報を受信し、前記患者識別情報と前記機器識別情報とが関連付けられて記録されている管理表を参照して、前記受信した患者識別情報と前記受信した機器識別情報とが前記管理表に関連づけられて記録されているか否かを判定し、前記受信した患者識別情報と前記受信した機器識別情報とが前記管理表に関連付けられて記録されていると判定した場合、前記端末に対して、前記患者の情報を含む前記医療機器に関する情報を送信することを許容する医療用サーバへ送信する、端末。
【請求項１０】
医療機器を用いて在宅療法を受ける患者に対して、前記医療機器に関する情報を提供する医療用システムに前記患者を登録する方法であって、
端末が、前記患者及び当該患者の在宅療法の治療情報を識別する前記患者に関する患者識別情報及び前記医療機器に関する機器識別情報を医療用サーバへ送信することと、
前記医療用サーバが、前記端末から前記患者識別情報及び前記機器識別情報を受信し、前記患者識別情報と前記機器識別情報とが関連付けられて記録されている管理表を参照して、前記受信した患者識別情報と前記受信した機器識別情報とが前記管理表に関連づけられて記録されているか否かを判定し、前記受信した患者識別情報と前記受信した機器識別情報とが前記管理表に関連付けられて記録されていると判定した場合、前記端末に対して、前記患者の情報を含む前記医療機器に関する情報を送信することを許容すること、
を含む方法。
【発明の詳細な説明】
【技術分野】
【０００１】
本発明は、医療機器を用いて在宅療法を受けるユーザに対して医療用システムへの登録を許可する医療用サーバ、医療用システム、端末及び方法に関する。
【背景技術】
【０００２】
従来、在宅で医療機器を用いて治療を行う患者がいる。例えば、持続式陽圧呼吸療法（Ｃｏｎｔｉｎｕｏｕｓ  Ｐｏｓｉｔｉｖｅ  Ａｉｒｗａｙ  Ｐｒｅｓｓｕｒｅ：ＣＰＡＰ）、在宅酸素療法又は在宅補助換気療法等の在宅療法を受ける患者がいる。
【０００３】
このような医療機器は、マスク又はカニューラ等の装具を患者の口又は鼻に装着して使用される。装具は、患者に正しく装着されないと、すきまから供給される気体が漏れる等して、処方された流量の気体が患者に投与されないおそれがある。
【０００４】
在宅療法患者が初めて在宅療法を開始する際には、患者を担当する病院において導入の指導が行われ、患者が習得すべき内容について一応理解した後に在宅療法が開始される。
【０００５】
一方、在宅療法を開始した患者は、医療機器の操作等において不慣れな部分を有している場合もある。
【０００６】
特許文献１では、患者が使用する端末とネットワークを介して接続されるサーバが、患者に対する指導項目に関する質問を端末へ送信し、質問に対する回答に基づいて回答を行った患者の指導項目に対する理解度及び実施度を定量的に評価し、評価の結果に基づいて回答を行った患者に対する指導プログラムを生成して、評価の結果及び指導プログラムを端末へ送信し、患者がこれらを参考にして治療を行うことにより、在宅療法を受ける患者に対する指導の均一化及び質の向上を図ることが提案されている。
【先行技術文献】
【特許文献】
【０００７】
【特許文献１】特開２００２−３１２４８９号公報
【発明の概要】
【発明が解決しようとする課題】
【０００８】
特許文献１が提案しているように、端末と、ネットワークを介して接続されるサーバとを備えるシステムを用いて、端末を操作する患者に対して、在宅療法で用いられる医療機器に関する情報を提供することは、患者の治療に有効であると考えられる。
【０００９】
患者が在宅療法に用いる医療機器の選択及びその使用方法は、患者ごとに医師の処方に基づいて決定されている。このような医療機器に関する情報は、患者に対してのみに提供されるものであり、患者以外のものに対しては提供されるべきではない。
【００１０】
例えば、不正に患者の医療機器に関する情報を入手しようする行為は防がれるべきである。また、故意でなくても、誤って患者の医療機器に関する情報が入手されることも防止されるべきである。
【００１１】
そこで、本明細書は、医療機器を用いて在宅療法を受けるユーザに対してのみ医療用システムへの登録を許可する医療用サーバ、医療用システム、端末及び方法を提供することを課題とする。
【課題を解決するための手段】
【００１２】
本明細書に開示する医療用サーバによれば、医療機器を用いて在宅療法を受ける患者に対して、医療機器に関する情報を提供する医療用システムに患者を登録する医療用サーバであって、通信部と、通信部を用いて、端末から、患者及び当該患者の在宅療法の治療情報を識別する患者に関する患者識別情報及び医療機器に関する機器識別情報を受信し、患者識別情報と機器識別情報とが関連付けられて記録されている管理表を参照して、受信した患者識別情報と受信した機器識別情報とが管理表に関連づけられて記録されているか否かを判定し、受信した患者識別情報と受信した機器識別情報とが管理表に関連付けられて記録されていると判定した場合、端末に対して、患者の情報を含む医療機器に関する情報を送信することを許容する処理部と、を備える。
【００１３】
また、本明細書に開示する医療用システムによれば、医療機器を用いて在宅療法を受ける患者に対して、医療機器に関する情報を提供する医療用システムであって、患者及び当該患者の在宅療法の治療情報を識別する患者に関する患者識別情報及び医療機器に関する機器識別情報を送信する端末と、通信部と、通信部を用いて、端末から患者識別情報及び機器識別情報を受信し、患者識別情報と機器識別情報とが関連付けられて記録されている管理表を参照して、受信した患者識別情報と受信した機器識別情報とが管理表に関連づけられて記録されているか否かを判定し、受信した患者識別情報と受信した機器識別情報とが管理表に関連付けられて記録されていると判定した場合、端末に対して、患者の情報を含む医療機器に関する情報を送信することを許容する処理部と、を有する医療用サーバと、を備える。
【００１４】
また、本明細書に開示する端末によれば、医療機器を用いて在宅療法を受ける患者に対して、医療機器に関する情報を提供する医療用システムに患者を登録する端末であって、端末は、患者及び当該患者の在宅療法の治療情報を識別する患者に関する患者識別情報及び医療機器に関する機器識別情報を、医療用サーバであって、端末から患者識別情報及び機器識別情報を受信し、患者識別情報と機器識別情報とが関連付けられて記録されている管理表を参照して、受信した患者識別情報と受信した機器識別情報とが管理表に関連づけられて記録されているか否かを判定し、受信した患者識別情報と受信した機器識別情報とが管理表に関連付けられて記録されていると判定した場合、端末に対して、患者の情報を含む医療機器に関する情報を送信することを許容する医療用サーバへ送信する。
【００１５】
更に、本明細書に開示する方法によれば、医療機器を用いて在宅療法を受ける患者に対して、医療機器に関する情報を提供する医療用システムに患者を登録する方法であって、端末が、患者及び当該患者の在宅療法の治療情報を識別する患者に関する患者識別情報及び医療機器に関する機器識別情報を医療用サーバへ送信することと、医療用サーバが、端末から患者識別情報及び機器識別情報を受信し、患者識別情報と機器識別情報とが関連付けられて記録されている管理表を参照して、受信した患者識別情報と受信した機器識別情報とが管理表に関連づけられて記録されているか否かを判定し、受信した患者識別情報と受信した機器識別情報とが管理表に関連付けられて記録されていると判定した場合、端末に対して、患者の情報を含む医療機器に関する情報を送信することを許容すること、を含む。
【発明の効果】
【００１６】
上述した本明細書に開示するに医療用サーバよれば、医療機器を用いて在宅療法を受ける患者に対してのみ医療用システムへの登録が許容される。
【００１７】
また、上述した本明細書に開示する医療用システムによれば、医療機器を用いて在宅療法を受ける患者に対してのみ医療用システムへの登録が許容される。
【００１８】
また、上述した本明細書に開示する端末によれば、医療機器を用いて在宅療法を受ける患者に対してのみ医療用システムへの登録が許容される。
【００１９】
更に、上述した本明細書に開示する方法によれば、医療機器を用いて在宅療法を受ける患者に対してのみ医療用システムへの登録が許容される。
【図面の簡単な説明】
【００２０】
【図１】本明細書に開示するシステムの一実施形態の構成を示す図である。
【図２】患者情報管理サーバの構成を示す図である。
【図３】端末管理サーバの構成を示す図である。
【図４】端末の構成を示す図である。
【図５】患者情報管理表を説明する図である。
【図６】端末管理表を説明する図である。
【図７】システムの動作を説明するシーケンス図（その１）である。
【図８】端末管理サーバの動作を説明するフローチャートである。
【図９】システムの動作を説明するシーケンス図（その２）である。
【図１０】システムの動作を説明するシーケンス図（その３）である。
【図１１】端末の表示部に表示される画面の画像を説明する図（その１）である。
【図１２】端末の表示部に表示される画面の画像を説明する図（その２）である。
【図１３】システムの動作を説明するシーケンス図（その４）である。
【図１４】端末の表示部に表示される画面の画像を説明する図（その３）である。
【発明を実施するための形態】
【００２１】
以下、本明細書で開示する医療用のシステムの好ましい一実施形態を、図を参照して説明する。但し、本発明の技術範囲はそれらの実施形態に限定されず、特許請求の範囲に記載された発明とその均等物に及ぶものである。
【００２２】
図１は、本明細書に開示する医療用のシステムの一実施形態の構成を示す図である。図２は、患者情報管理サーバの構成を示す図である。図３は、端末管理サーバの構成を示す図である。図４は、端末の構成を示す図である。
【００２３】
本実施形態の医療用のシステム１は、医療機器を用いて在宅療法を受ける患者に対して、医療機器に関する情報を提供する。
【００２４】
在宅療法を開始した患者は、医療機器の正しい操作及び機器を使用する習慣を早く身につけることが好ましい。これにより、患者は、自宅で医療機器を用いた正しい治療を継続して行うことにより症状の改善が期待できる。
【００２５】
在宅療法に用いられる医療機器の種類として、例えば、陽圧式人工呼吸補助装置、酸素濃縮装置、人工呼吸装置が挙げられる。陽圧式人工呼吸補助装置は、陽圧の空気、又は、酸素を大気より多く含む空気を大気と混合した陽圧の空気を患者に供給する。酸素濃縮装置は、空気中の酸素を濃縮して患者へ供給する。人工呼吸装置は、患者の肺への空気の送込み及び肺からの空気の排出を機械的に行うことによって、患者の呼吸を補助する。なお、上述した医療機器は一例であり、本発明は、これらの医療機器への適用に限定されるものではない。
【００２６】
患者が在宅療法を開始する際には、まず病院において在宅療法を導入するための指導が行われて、患者が習得すべき内容について一応理解した後に在宅療法が開始されるものの、医療機器に不慣れな患者は、当初、様々な医療機器の扱いに関して疑問が生じる場合がある。
【００２７】
そこで、システム１は、このような患者に対して、患者の情報を含む医療機器に関する情報を提供する。患者の情報を含む医療機器に関する情報は、医療機器の取扱説明情報、患者に装着される装具に関する情報、又は、医療機器を用いた患者の治療に関する情報等を含み得る。また、医療機器に関する情報は、患者に固有の情報を含む患者固有機器情報及び／又は患者の治療に関する情報と、患者に固有の情報を含まない患者共通機器情報を含み得る。患者に固有の情報は、患者に関する情報であって、患者個人を識別できる情報を含み得る。患者に固有の情報を含まない患者共通機器情報は、患者の治療に使用される医療機器等に関する情報を含むものではあるが、患者個人を識別できる情報は含まない。
【００２８】
患者に固有の情報を含む患者固有機器情報及び／又は医療機器を用いた患者の治療に関する情報は、患者のそれぞれに対する医師の処方に基づいた情報を含む。患者固有機器情報の具体例として、例えば、後述する装具に関するマスク等データがある。患者に固有の情報を含む医療機器を用いた患者の治療に関する情報としては、後述する通院予定情報がある。患者に固有の情報を含まない患者共通機器情報の具体例としては、例えば、後述する医療機器取扱データがある。
【００２９】
システム１では、医療機器を用いて在宅療法を行っている患者本人に対してのみシステムへの登録を許容して、その医療機器に関する情報のみが提供される。これにより、その患者が使用する医療機器以外の情報が、患者に誤って提供されることを防止すると共に、他のものに対して患者に固有の情報を秘匿することができる。
【００３０】
また、システム１は、患者に対して提供する情報には、患者の生理情報及び医療機器の動作情報は含まれない。システム１は、患者に対して、主に医療機器の扱いに関する情報を提供し、且つ、患者の生理情報及び医療機器の動作情報等の他の情報の提供を許容しないことにより、様々な情報が患者に提供されることにより患者が混乱することを防ぐ。
【００３１】
図１に示すように、システム１は、患者情報管理サーバ１０と、端末管理サーバ２０と、端末３０と、カスタマ管理サーバ４０と、医療情報管理サーバ５０を備える。各サーバ及び端末３０は、ネットワークＮを介して通信可能に接続される。各サーバは、医療用である。本明細書において、医療用のシステム及びサーバは、少なくとも医療機器に関する情報を扱う。
【００３２】
患者情報管理サーバ１０は、患者及び患者が在宅療法に用いる医療機器に関する情報を管理するサーバである。患者及び患者が在宅療法に用いる医療機器に関する情報は、例えば、患者を担当する病院により管理される。
【００３３】
端末管理サーバ２０は、患者により操作される端末と接続して、患者情報管理サーバ１０が記憶する医療機器に関する情報を患者へ提供するサーバであり、システム１への端末３０の登録及び登録された端末に対する医療機器に関する情報の提供を管理する。医療機器に関する情報としては、例えば、医療機器の取扱情報、マスク等の医療機器の使用で患者に装着される装具の情報、患者に対する在宅療法の指導情報及びＣＰＡＰ治療に関するＦＡＱがある。装具は、医療機器から送り込まれる空気や酸素などを、患者へ送り届けるために使用される。具体的には、装具として、患者の鼻や口元まわりに装着されるマスクやカニューラ等がある。
【００３４】
端末３０は、医療機器を用いて在宅療法を受ける患者により操作される端末である。患者は、端末３０を用いて、医療機器に関する情報を閲覧する。
【００３５】
カスタマ管理サーバ４０は、医療機器で使用される消耗品を管理しており、医療機器で用いられる消耗品の交換の通知を、端末管理サーバ２０を介して、端末３０へ送信する。
【００３６】
医療情報管理サーバ５０は、患者が在宅療法で使用する医療機器の動作情報及び病院での患者の診療情報を記憶して、各情報を解析する。また、医療情報管理サーバ５０は、患者の通院情報を管理しており、患者の次の通院予定情報を、端末管理サーバ２０を介して、端末３０へ送信する。
【００３７】
次に、患者情報管理サーバ１０の説明を以下に行う。
【００３８】
患者情報管理サーバ１０は、処理部１１と、記憶部１２と、表示部１３と、操作部１４と、通信部１５を有する。
【００３９】
処理部１１は、一つ又は複数のプロセッサと、周辺回路とを有する。処理部１１は、記憶部１２に予め記憶されている所定のコンピュータプログラム１２ａに従い、患者情報管理サーバ１０の各ハードウェア構成要素の制御及び各種処理を行い、処理中に生じるデータを一時的に保存するために記憶部１２を利用する。また、処理部１１の各機能は、別個の回路として、患者情報管理サーバ１０に実装されてもよい。
【００４０】
記憶部１２は、ランダムアクセスメモリ（ＲＡＭ）又はリードオンリーメモリ（ＲＯＭ）等の半導体メモリ又は磁気ディスク又はフラッシュメモリを有していても良い。記憶部１２は、所定のコンピュータプログラム１２ａを非一時的に記憶する記憶媒体を読み出し可能なドライブを有していても良い。
【００４１】
図２に示すように、記憶部１２は、コンピュータプログラム１２ａと、患者情報管理表１２ｂを記憶する。
【００４２】
図５は、患者情報管理表を説明する図である。
【００４３】
患者情報管理表５００は、患者管理識別情報（患者管理ＩＤ）欄５０１と、氏名欄５０２と、住所欄５０３と、電話番号欄５０４と、機台番号欄５０５と、シリアル番号欄５０６と、医療機器識別情報（医療機器ＩＤ）欄５０７、マスク等識別情報（マスク等ＩＤ）欄５０８を有する。
【００４４】
患者管理ＩＤ欄５０１には、病院が患者を他の患者と識別して管理するための識別情報が記録される。氏名欄５０２には、患者の氏名が記録される。住所欄５０３には、患者の住所が記録される。電話番号欄５０４には、患者の電話番号が記録される。住所及び電話番号は、一般に患者を識別するための患者識別情報でもある。患者識別情報として、例えば、健康保険番号を用いてもよい。機台番号欄５０５には、在宅療法で使用される個々の医療機器を識別するための識別番号が記録される。機台番号は、同じ種類の医療機器であっても、患者管理ＩＤと関連付けられて異なる番号が付される。シリアル番号欄５０６には、在宅療法で使用される個々の医療機器に対して、医療機器の製造者が製造した機器を識別するための識別番号が記録される。医療機器ＩＤ欄５０７には、複数の種類がある医療機器の内から一の種類の医療機器を識別するための識別情報が記録される。例えば、複数の種類がある医療機器として、陽圧式人工呼吸補助装置、酸素濃縮装置、人工呼吸装置が挙げられる。各装置が、更に複数の種類を有する場合もある。同じ種類の医療機器は、共通した取扱情報を有する。マスク等識別情報（マスク等ＩＤ）欄５０８には、医療機器で使用されるマスク等の装具を識別するための識別情報が記録される。陽圧式人工呼吸補助装置及び人工呼吸装置では、マスクがマスク等の装具として使用され、酸素濃縮装置では、カニューラがマスク等の装具として使用される。例えば、マスクには、構造等が異なる複数の種類があり、患者の顔の形状、使用される気体流量又は圧力、操作性に基づいて、患者ごとにマスクが選択される。そのため、マスク等に関する情報は、患者に固有の情報を含む医療機器に関する情報である。マスク等ＩＤは、患者に対して選択されているマスク等の装具を他の装具とは識別するための識別情報となる。このように、患者情報管理表５００には、患者管理ＩＤと、氏名と、住所と、電話番号と、機台番号と、シリアル番号と、医療機器ＩＤと、マスク等ＩＤとが関連付けられて記録されている。
【００４５】
表示部１３は、処理部１１に制御されて、患者情報管理サーバ１０の動作に伴う各種の情報を表示可能である。表示部１３として、例えば、液晶ディスプレイを用いることができる。
【００４６】
操作部１４は、サーバの管理者により操作されて、操作を入力可能である。操作部１４として、例えば、キーボード及びマウスを用いることができる。
【００４７】
通信部１５は、ネットワークＮを介して、端末管理サーバ２０との間で情報の送受信を行う。処理部１１は、通信部１５を用いて受信された情報に基づいて、各種の処理を行う。また、処理部１１は、各種の処理を行った結果を、通信部１５を用いて送信する。通信部１５は、送受信を行う通信回路及び通信線を有し得る。
【００４８】
次に、端末管理サーバ２０の説明を以下に行う。
【００４９】
端末管理サーバ２０は、処理部２１と、記憶部２２と、表示部２３と、操作部２４と、通信部２５を有する。
【００５０】
処理部２１は、一つ又は複数のプロセッサと、周辺回路とを有する。処理部２１は、記憶部２２に予め記憶されている所定のコンピュータプログラム２２ａに従い、端末管理サーバ２０の各ハードウェア構成要素の制御及び各種処理を行い、処理中に生じるデータを一時的に保存するために記憶部２２を利用する。また、処理部２１の各機能は、別個の回路として、端末管理サーバ２０に実装されてもよい。
【００５１】
記憶部２２は、ランダムアクセスメモリ（ＲＡＭ）又はリードオンリーメモリ（ＲＯＭ）等の半導体メモリ又は磁気ディスク又はフラッシュメモリを有していても良い。記憶部２２は、所定のコンピュータプログラム２２ａを非一時的に記憶する記憶媒体を読み出し可能なドライブを有していても良い。
【００５２】
図３に示すように、記憶部２２は、コンピュータプログラム２２ａと、端末管理表２２ｂと、医療機器取扱データ２２ｃと、マスク等データ２２ｄと、指導データ２２ｅと、ＦＡＱデータ２２ｆを記憶する。
【００５３】
図６は、端末管理表を説明する図である。
【００５４】
端末管理表６００は、氏名欄６０１と、接続識別情報（接続ＩＤ）欄６０２と、パスワード欄６０３と、電話番号欄６０４と、機台番号欄６０５と、シリアル番号欄６０６と、患者管理ＩＤ欄６０７と、医療機器ＩＤ欄６０８と、マスク等ＩＤ欄６０９と、ステータス欄６１０と、を有する。
【００５５】
氏名欄６０１には、患者情報管理サーバ１０の患者情報管理表から読み取られた患者の氏名が記録される。接続ＩＤ欄６０２には、端末ＩＤにより識別される端末が端末管理サーバ２０と接続するために使用される接続ＩＤが記録される。パスワード欄６０３には、端末ＩＤにより識別される端末が端末管理サーバ２０と接続するために使用されるパスワードが記録される。電話番号欄６０４には、端末３０から端末管理サーバ２０へ送信された電話番号が記録される。機台番号欄６０５には、端末３０から端末管理サーバ２０へ送信された機台番号が記録される。シリアル番号欄６０６には、端末３０から端末管理サーバ２０へ送信されたシリアル番号が記録される。患者管理ＩＤ欄６０７には、患者情報管理サーバ１０の患者情報管理表から読み取られた患者ＩＤが記録される。医療機器ＩＤ欄６０８には、患者情報管理サーバ１０の患者情報管理表から読み取られた医療機器ＩＤが記録される。マスク等ＩＤ欄６０９には、患者情報管理サーバ１０の患者情報管理表から読み取られたマスク等ＩＤが記録される。ステータス欄６１０には、端末ＩＤにより識別される端末を操作する患者のシステム１への登録状態を示すステータスが、「本登録」又は「仮登録」として記録される。このように、端末管理表６００には、氏名と、接続ＩＤと、パスワードと、電話番号と、機台番号と、シリアル番号と、患者管理ＩＤと、医療機器ＩＤと、マスク等ＩＤと、ステータスとが関連付けられて記録されている。
【００５６】
医療機器取扱データ２２ｃは、端末管理表２２ｂに記録されている医療機器ＩＤにより識別される複数の医療機器の取扱情報を有する。医療機器取扱データ２２ｃは、複数の患者が用いる医療機器に関する取扱情報を含む。医療機器の取扱情報のそれぞれは、端末管理表２２ｂに記録される医療機器ＩＤを介して、患者管理ＩＤと関連付けられて記憶部２２に記憶されている。複数の医療機器の取扱情報のそれぞれは、例えば、動画及びイラストを用いた機器の取扱情報を含む。医療機器の取扱情報は、その医療機器の一般的な操作方法等に関する説明を含んでおり、個々の患者に固有の情報を含まない。
【００５７】
マスク等データ２２ｄは、端末管理表２２ｂに記録されているマスク等ＩＤにより識別されるマスク等の装具の取扱情報を有する。マスク等データ２２ｄは、複数の患者が用いるマスク等の装具の取扱情報を含む。マスク等の装具の取扱情報のそれぞれは、端末管理表２２ｂに記録される医療機器ＩＤを介して、端末管理表２２ｂに記録される患者管理ＩＤと関連付けられて記憶部２２に記憶されている。マスク等の装具の取扱情報は、個々の患者に対して選択されているマスク等の構造、大きさ、材質、使用条件、操作方法等を含むので、患者に固有の情報を有する。例えば、ＣＰＡＰ療法では、マスクを患者の顔に正しく装着することが大切である。そのためには、マスクが患者の顔に均等に当たるようにして、呼吸をしてマスクと顔の表面との間から空気がもれないようにマスクを装着することが好ましい。特に、患者が就寝する状態において、マスクを顔に正しく装着できることが好ましい。マスク等の装具の取扱情報は、このような観点から患者がマスクを取り扱う時に有用な情報を含む。
【００５８】
指導データ２２ｅは、在宅療法を開始した患者に対して送信される複数の指導情報を有する。医療機器のそれぞれに対して、指導情報が生成されている。指導情報のそれぞれは、端末管理表２２ｂに記録されている医療機器ＩＤにより識別される。在宅療法を開始した患者に対して、患者が医療機器を使用する際に予想される問題点及びその対処方法を指導する指導情報を含む指導メールが、端末管理サーバ２０から端末３０へ送信される。指導情報は、患者に固有の情報を含まない。指導メールは、医療機器ＩＤと関連付けられている患者管理ＩＤを有する患者に対して、端末管理サーバ２０から、例えば、在宅療法を開始した日から、１日後、２日後、３日後、７日後、２１日後に送信される。例えば、患者のメールアドレスは、端末管理表２２ｂに患者ＩＤと関連づけられて記録される。
【００５９】
ＦＡＱデータ２２ｆは、ＣＰＡＰ治療に関する主要な質問項目及び回答情報（以下、単にＦＡＱ情報ともいう）を有する。ＦＡＱ情報は、一般的なＣＰＡＰ治療に関する情報及び／又はＣＰＡＰ治療で用いられる医療機器のそれぞれに対して医師により監修されて作成された主要な質問項目及び回答情報を含む。ＦＡＱ情報は、患者に固有の情報を含まない。
【００６０】
なお、医療機器取扱データ、マスク等データ、指導データ及びＦＡＱデータは、端末管理サーバ以外の記憶装置に記憶されていてもよい。例えば、これらのデータは、患者情報管理サーバ１０又は他のデータベースに記憶されていてもよい。
【００６１】
表示部２３は、処理部２１に制御されて、端末管理サーバ２０の動作に伴う各種の情報を表示可能である。表示部２３として、例えば、液晶ディスプレイを用いることができる。
【００６２】
操作部２４は、サーバの管理者により操作されて、操作を入力可能である。操作部２４として、例えば、キーボード及びマウスを用いることができる。
【００６３】
通信部２５は、ネットワークＮを介して、端末３０又は患者情報管理サーバ１０との間で情報の送受信を行う。処理部２１は、通信部２５を用いて受信された情報に基づいて、各種の処理を行う。また、処理部２１は、各種の処理を行った結果を、通信部２５を用いて送信する。通信部２５は、送受信を行う通信回路及び通信線を有し得る。
【００６４】
端末管理サーバ２０の動作の詳細については、システム１の動作の説明において更に後述する。
【００６５】
次に、端末３０の説明を以下に行う。
【００６６】
端末３０は、処理部３１と、記憶部３２と、表示部３３と、操作部３４と、通信部３５を有する。
【００６７】
処理部３１は、一つまたは複数のプロセッサと、周辺回路とを有する。処理部３１は、記憶部３２に予め記憶されている所定のコンピュータプログラムに従い、端末３０の各ハードウェア構成要素の制御及び各種処理を行い、処理中に生じるデータを一時的に保存するために記憶部２２を利用する。また、処理部３１の各機能は、別個の回路として、端末３０に実装されてもよい。
【００６８】
記憶部３２は、ランダムアクセスメモリ（ＲＡＭ）又はリードオンリーメモリ（ＲＯＭ）等の半導体メモリ又は磁気ディスク又はフラッシュメモリを有していても良い。記憶部３２は、所定のコンピュータプログラムを非一時的に記憶する記憶媒体を読み出し可能なドライブを有していても良い。
【００６９】
表示部３３は、処理部３１に制御されて、端末３０の動作に伴う各種の情報を表示可能である。表示部３３として、例えば、液晶ディスプレイを用いることができる。
【００７０】
操作部３４は、患者により操作されて、操作を入力可能である。端末３０は、操作部３４として、例えば表示部３３と一体のタッチパネルを用いることができる。
【００７１】
通信部３５は、無線通信を用いて、ネットワークＮを介して、端末管理サーバ２０との間で情報の送受信を行う。通信部３５は、例えば、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）又はＬＴＥ（Ｌｏｎｇ  Ｔｅｒｍ  Ｅｖｏｌｕｔｉｏｎ）等の所定の無線通信規格に準拠して、基地局を介して、ネットワークＮと接続する。また、通信部３５は、無線ＬＡＮを用いて、ネットワークＮと接続してもよい。通信部３５は、無線で送受信を行う通信回路及びアンテナを有し得る。処理部３１は、通信部３５を用いて受信された情報に基づいて、各種の処理を行う。また、処理部３１は、各種の処理を行った結果を、通信部３５を用いて送信する。
【００７２】
カスタマ管理サーバ４０は、患者情報管理サーバ１０の患者情報管理表を参照して、各患者が在宅療法に用いる医療機器で使用される消耗品を管理しており、医療機器で用いられる消耗品の交換の通知を、端末管理サーバ２０を介して、端末３０へ送信する。カスタマ管理サーバ４０は、例えば、在宅療法を開始した患者に対して、１ヶ月後、２ヶ月後、３ヶ月後、１２ヶ月後に、患者が使用する医療機器の消耗品を補充する案内情報を生成して、端末管理サーバ２０を介して、端末３０へ送信する。カスタマ管理サーバ４０が生成する案内情報は、患者が使用する医療機器の消耗品に関する情報なので、患者に固有の情報を含む。
【００７３】
医療情報管理サーバ５０は、各患者が在宅療法で使用する医療機器の動作情報を記憶する。また、医療情報管理サーバ５０は、患者の病院で診療情報を記憶する。医療情報管理サーバ５０は、医療機器の動作情報及び診療情報を解析して出力することにより、医療関係者が、患者を診療することを支援する。
【００７４】
また、医療情報管理サーバ５０は、患者の診療情報と共に通院情報を管理しており、患者の次の通院予定情報を、端末管理サーバ２０を介して端末３０へ送信する。通院予定情報は、患者に固有の情報を含む情報の例である。
【００７５】
医療情報管理サーバ５０が管理する患者の医療機器の動作情報、診療情報及び通院情報は、患者に固有の情報を含む。
【００７６】
次に、患者がシステム１へ登録する際におけるシステム１の動作を、図７〜図９を参照しながら、以下に説明する。
【００７７】
図７及び図９は、システム１の動作を説明するシーケンス図であり、図８は、端末管理サーバ２０の動作を説明するフローチャートである。
【００７８】
まず、ステップＳ７０１において、端末３０の処理部３１は、患者の操作部３４の操作により、患者の電話番号、患者が在宅療法で使用する医療機器の機台番号、シリアル番号が入力される。端末３０の処理部３１は、患者の操作部３４の操作により、通信部３５を用いて、患者の電話番号、患者が在宅療法で使用する医療機器の機台番号、シリアル番号及び端末３０のシステム１への登録を要求する登録要求を、ネットワークＮを介して端末管理サーバ２０へ送信する。患者の電話番号、患者が在宅療法で使用する医療機器の機台番号、シリアル番号は、患者を、システム１に登録するか否かを判定するための認証情報の一例である。なお、認証情報は、患者に関する情報と、医療機器に関する情報を含んでいることが好ましい。また、本明細書では、患者の電話番号、患者が在宅療法で使用する医療機器の機台番号、シリアル番号は、患者を識別する情報及び患者の在宅療法の治療情報を識別する情報の一例でもある。認証情報は、端末管理サーバ２０の処理部２１が、患者が用いる医療機器以外の機器を含む複数の医療機器に関する情報の内、取得した認証情報と関連付けられている医療機器に関する情報のみを、患者に対して提供するためにも使用される。
【００７９】
次に、ステップＳ７０３において、端末管理サーバ２０は、患者の電話番号、患者が在宅療法で使用する医療機器の機台番号、シリアル番号及び登録要求を受信する。
【００８０】
次に、ステップＳ７０５において、端末管理サーバ２０は、端末３０の登録要求の判定処理を行う。この端末管理サーバ２０の判定処理を、図８に示すフローチャートを参照しながら、以下に説明する。
【００８１】
まず、ステップＳ８０１において、端末管理サーバ２０の処理部２１は、通信部２５を用いて、患者情報管理表の送信を要求する送信要求を、ネットワークＮを介して、患者情報管理サーバ１０へ送信する。患者情報管理サーバ１０の処理部１１は、送信要求を受信すると、記憶部１２から読み出した患者情報管理表を、通信部１５を用いて、ネットワークＮを介して端末管理サーバ２０へ送信する。端末管理サーバ２０は、患者情報管理表を受信する。なお、処理部２１は、患者情報管理サーバ１０から患者情報管理表を受信することを、端末３０の登録要求の判定処理ごとに行わなくてもよい。例えば、処理部２１は、所定の間隔、例えば一日一回、患者情報管理サーバ１０から患者情報管理表の受信するようにしてもよい。
【００８２】
次に、ステップＳ８０３において、端末管理サーバ２０の処理部２１は、受信した患者情報管理表を参照して、端末３０から受信した電話番号と、機台番号と、シリアル番号とが、同じ患者管理ＩＤと関連付けられて記録されているか否かを判定する。具体的には、処理部２１は、患者情報管理表を参照して、一の患者管理ＩＤと関連付けられている電話番号と、端末３０から受信した電話番号とが一致し、且つ、当該患者管理ＩＤと関連付けられている機台番号と、端末３０から受信した機台番号とが一致し、且つ、当該患者管理ＩＤと関連付けられているシリアル番号と、端末３０から受信したシリアル番号とが一致しているか否かを判定する。
【００８３】
端末３０から受信した電話番号と、機台番号と、シリアル番号とが、患者情報管理表において同じ患者管理ＩＤと関連付けられて記録されている場合（ステップＳ８０３−Ｙｅｓ）、端末管理サーバ２０の処理部２１は、端末３０を操作する患者のシステム１への本登録を許可して、接続ＩＤを生成する。
【００８４】
一方、端末３０から受信した電話番号と、機台番号と、シリアル番号とが、患者情報管理表において同じ患者管理ＩＤと関連付けられて記録されていない場合（ステップＳ８０３−Ｎｏ）、端末管理サーバ２０の処理部２１は、端末３０から受信した電話番号、機台番号及びシリアル番号が、所定の文字数を有し、且つ、端末３０から受信した機台番号が、所定の文字列パターンを有するか否かを判定する（ステップＳ８０７）。ここで、患者情報管理表に記録されている全ての電話番号は、同じ文字数を有し、患者情報管理表に記録されている全ての機台番号は、同じ文字数を有し、患者情報管理表に記録されている全てのシリアル番号は、同じ文字数を有するとする。具体的には、処理部２１は、端末３０から受信した電話番号が、患者情報管理表に記録されている電話番号と同じ文字数を有するか否かを判定する。また、処理部２１は、端末３０から受信した機台番号が、患者情報管理表に記録されている機台番号と同じ文字数を有するか否かを判定する。また、処理部２１は、端末３０から受信したシリアル番号が、患者情報管理表に記録されているシリアル番号と同じ文字数を有するか否かを判定する。更に、処理部２１は、端末３０から受信した機台番号が、患者情報管理表に記録されている機台番号が有するのと同じ、所定の種類の文字が所定の数だけ所定の順番で配列された文字パターンを有するか否かを判定する。患者情報管理表には、一の医療機器ＩＤと関連付けられている機台番号は、例えば、複数の英文字と複数の数字とが所定の順番で配列された文字パターンを有する。異なる医療機器ＩＤと関連付けられている機台番号は、異なる文字パターンを有する。処理部２１は、端末３０から受信した機台番号が、患者情報管理表に記録されている何れかの機台番号の文字パターンを有するか否かを判定する。なお、シリアル番号も、所定の種類の文字が所定の数だけ所定の順番で配列された文字パターンを有していてもよい。この場合、処理部２１は、端末３０から受信したシリアル番号が、患者情報管理表に記録されているシリアル番号が有する文字パターンを有するか否かを判定する。
【００８５】
端末３０から受信した電話番号と、機台番号と、シリアル番号とが、所定の文字数を有し、且つ、端末３０から受信した機台番号が、患者情報管理表に記録されている何れか機台番号の文字パターンを有する場合（ステップＳ８０７−Ｙｅｓ）、端末管理サーバ２０の処理部２１は、端末３０を操作する患者のシステム１への仮登録を許可して、端末ＩＤ及び接続ＩＤを生成する。なお、端末３０から受信した機台番号と、患者情報管理表に記録されている機台番号とを比較する条件は、一例であり、他の条件を用いて比較してもよい。例えば、処理部２１は、端末３０から受信した機台番号が、患者情報管理表に記録されている機台番号が含まれる所定の数値の範囲内にあるか否かを判定してもよい。なお、処理部２１端末３０を操作する患者のシステム１への仮登録を許可する判定条件は、上述した文字数又は文字列パターンを用いる以外の条件に基づいていてもよい。
【００８６】
患者が、端末３０を用いて、電話番号と、機台番号と、シリアル番号を送信する際、何れかの情報を誤って入力する場合がある。システム１では、このような場合でも、端末３０から受信した電話番号と、機台番号と、シリアル番号が所定の条件を満たしていることが確認できる場合には、本来はシステムへの登録が許可されるべき患者であることが推定されるので、システム１への患者の仮登録を許容して、患者に固有の情報を含まない医療機器に関する情報を提供して、患者が医療機器の正しい操作及び機器を使用する習慣を早く身につけることを支援する。ただし、患者に固有の情報を含む医療機器に関する情報の提供は、システム１への本登録がなされて、はじめて許容される。なお、仮登録を許容された患者に提供される情報は、本登録された患者に提供される情報に対して制限されていればよく、患者を識別し得る情報（患者に固有の情報）を含めない情報には制限されない。また、仮登録を許容された患者に提供される情報は、本登録された患者に提供される情報に対して制限されていればよく、仮登録の状態を複数に設定して、複数の段階に制限された情報を仮登録された患者に提供してもよい。例えば、端末３０から受信した患者識別情報（例えば、電話番号）及び機器識別情報（例えば、機台番号）が第１の条件を満たす場合と、端末３０から受信した第１機器識別情報（例えば、機台番号）及び第２機器識別情報（例えば、シリアル番号）の内の少なくとも１つが第２の条件を満たす場合と、両条件が満たされている場合とに応じて、仮登録の状態を３段階に設定してもよい。この場合、第１の条件は、本来はシステムへの登録が許可されるべき患者の個人情報に基づいて、本来はシステムへの登録が許可されるべき患者であることが推定できる条件であることが好ましい。第２の条件は、患者が自宅で使用する医療機器に関する情報に基づいて、本来はシステムへの登録が許可されるべき患者であることが推定できる条件であることが好ましい。仮登録を許容された患者に提供される情報が、本登録された患者に提供される情報に対して制限される程度は、第１の条件のみを満たす場合と、第２の条件のみを満たす場合と、両条件を満たす場合とに応じて決定してもよい。
【００８７】
一方、端末３０から受信した電話番号と、機台番号と、シリアル番号とが、所定の文字数を有し、且つ、端末３０から受信した機台番号が、患者情報管理表に記録されている機台番号の文字パターンを有していない場合（ステップＳ８０７−Ｎｏ）、端末管理サーバ２０の処理部２１は、端末３０のシステム１への登録を許可しない決定をする（ステップＳ８１１）。以上が、ステップＳ７０５の説明である。
【００８８】
次に、ステップＳ７０７において、端末管理サーバ２０の処理部２１は、「本登録」、「仮登録」又はいずれの登録も許可されなかったのかの内の何れかの情報を含む判定結果を、端末３０に対して、ネットワークＮを介して送信する。
【００８９】
次に、ステップＳ７０９において、端末３０は、判定結果を受信して、「本登録」、「仮登録」又はいずれの登録も許可されなかったのかの内の何れかの情報を、表示部３３に表示してもよい。患者は、表示部３３に表示された判定結果を見て登録の可否を認識し得る。これにより、いずれの登録も許可されなかった判定結果が表示されている場合には、患者に対して、電話番号と、機台番号と、シリアル番号を確認してもらうことを促すことができる。
【００９０】
患者に対して、いずれの登録も許可されなかった場合には、登録処理は終了する。
【００９１】
一方、患者に対して、「本登録」又は「仮登録」が許可された場合には、ステップＳ９０１において、端末管理サーバ２０の処理部２１は、通信部２５を用いて、接続ＩＤを送信すると共に、システム１へ接続する際に使用するパスワードを端末管理サーバ２０へ送信することを求めるパスワード要求を、ネットワークＮを介して端末３０へ送信する。
【００９２】
次に、ステップＳ９０３において、端末３０の処理部３１は、通信部３５を用いて接続ＩＤ及びパスワード要求を受信し、接続ＩＤを記憶部３２に記憶すると共に、パスワードの入力を要求する入力要求を表示部３３に表示する。表示部３３の表示を見た患者は、操作部３４を操作し、パスワードを入力する。処理部３１は、入力されたパスワードを、記憶部３２に記憶する。
【００９３】
ステップＳ９０５において、端末３０の処理部３１は、通信部３５を用いて、パスワードを、ネットワークＮを介して端末管理サーバ２０送信する。
【００９４】
次に、ステップＳ９０７において、端末管理サーバ２０の処理部２１は、パスワードを受信する。なお、受信したパスワードが、所定の条件を満たさない場合には、処理部２１は、再度パスワード要求を、ネットワークＮを介して端末３０へ送信してもよい。
【００９５】
次に、ステップＳ９０９において、端末管理サーバ２０の処理部２１は、接続ＩＤと、パスワードと、端末３０から受信した電話番号と、機台番号と、シリアル番号とを関連付けて、端末管理表２２ｂに記録する。また、端末管理サーバ２０の処理部２１は、接続ＩＤと関連づけて、端末管理表２２ｂのステータス欄に患者のステータスである「本登録」又は「仮登録」を記録する。本明細書において、端末３０から受信した電話番号と、機台番号と、シリアル番号により特定される患者をシステム１のユーザとして本登録又は仮登録することは、端末管理表２２ｂのステータス欄に患者のステータスである「本登録」又は「仮登録」を記録することにより実行される。
【００９６】
そして、処理部２１は、患者情報管理表を参照して、端末３０から受信した電話番号と、機台番号と、シリアル番号と関連付けられている患者管理ＩＤを読み取って、端末管理表２２ｂの患者管理ＩＤ欄に記録する。
【００９７】
また、端末管理表２２ｂのステータス欄に「本登録」を記録した場合、処理部２１は、患者情報管理表を参照して、端末３０から受信した電話番号と、機台番号と、シリアル番号と関連付けられている医療機器ＩＤ及びマスク等ＩＤを読み取って、端末管理表２２ｂの医療機器ＩＤ欄及びマスク等ＩＤ欄に記録する。
【００９８】
一方、端末管理表２２ｂのステータス欄に「仮登録」を記録した場合、処理部２１は、機台番号管理表を参照して、端末３０から受信した機台番号の文字パターンと一致する文字パターンを有する機台番号と関連付けられている医療機器ＩＤを読み取って、端末管理表２２ｂの医療機器ＩＤ欄に記録する。端末管理サーバ２０の記憶部２２には、機台番号と、医療機器ＩＤとが関連付けられている機台番号管理表が記憶されている。
【００９９】
そして、処理部２１は、患者情報管理表を消去する。なお、患者情報管理表が患者管理サーバ１０から所定の間隔で読み取られる場合には、その間隔に基づいて、患者情報管理表は消去される。
【０１００】
システム１に対して「本登録」又は「仮登録」が許可された患者の端末３０は、以後、端末ＩＤ及びパスワードを用いて、端末管理サーバ２０へ接続して、医療機器に関する情報の提供を受けることができるようになる。
【０１０１】
なお、端末３０のシステム１への登録を許可しない決定がなされた場合（ステップＳ８１１）、端末管理サーバ２０の処理部２１は、所定の周期、例えば一日一度の周期で、ステップＳ８０１以降の処理を繰り返して行う。これは、患者情報管理サーバ１０の記憶部１２に記憶される患者情報管理表への患者情報の記録が完了する前に、患者が端末３０を用いてシステム１への登録処理を行う場合があるからである。この場合、端末３０から受信した電話番号と、機台番号と、シリアル番号が正しくても、患者情報管理表への患者情報の記録が完了していないので、端末３０のシステム１への登録は許可されない。なお、所定の周期は、上述した例に限定されない。例えば、所定の周期は、一年、一週、一時間の周期であってもよい。所定の周期としては、一時間〜数日の周期で一度、好ましくは半日〜二日に一度の周期であり得る。
【０１０２】
そこで、端末管理サーバ２０の処理部２１は、端末３０のシステム１への登録を許可しない決定がなされても、所定の周期で、上述した判定を繰り返して行う。そして、端末３０から受信した電話番号と、機台番号と、シリアル番号とが、同じ患者管理ＩＤと関連付けられて記録されていた場合（ステップＳ８０３−Ｙｅｓ）、ステップＳ８０５に対応する処理において、処理部２１は、患者情報管理表の患者管理ＩＤ欄に、端末３０から受信した電話番号と、機台番号と、シリアル番号とが一致した患者管理ＩＤを記録する。また、処理部２１は、ステータス欄に仮登録が記録されている患者管理ＩＤと関連付けられているステータス欄を「仮登録」から「本登録」へ変更する。端末ＩＤ及び接続ＩＤは、仮登録がなされた時に生成されたものがそのまま使用される。
【０１０３】
また、端末管理サーバ２０の処理部２１は、仮登録の状態が所定の期間、例えば、一ヶ月以上続く場合、端末３０に対して、電話番号と、機台番号と、シリアル番号を確認することを要求する確認要求を、通信部２５を用いて、ネットワークＮを介して端末３０へ送信してもよい。端末３０は、確認要求を受信すると、電話番号と、機台番号と、シリアル番号を確認することを、端末３０の表示部３３に表示して、患者に対して情報を確認することを通知する。
【０１０４】
以上が、患者がシステム１を利用するために端末３０の登録処理を行う際のシステム１の動作の説明である。
【０１０５】
次に、システム１に対して「本登録」がなされている患者が、端末３０を用いて、医療機器の情報を閲覧する際のシステム１の動作を、図１０を参照しながら以下に説明する。
【０１０６】
まず、ステップＳ１００１において、端末３０の処理部３１は、患者に操作されて、接続ＩＤ、パスワード、及びシステム１への接続を要求する接続要求を、通信部３５を用いて、ネットワークＮを介して端末管理サーバ２０へ送信する。接続ＩＤ及びパスワードは、患者が、システム１に登録されているか否かを判定するための認証情報の一例である。
【０１０７】
次に、ステップＳ１００３において、端末管理サーバ２０は、接続ＩＤ、パスワード及び接続要求を受信する。そして、端末管理サーバ２０の処理部２１は、記憶部２２に記憶されている端末管理表２２ｂを参照して、受信した接続ＩＤ及びパスワードが端末管理表２２ｂに関連付けられて記録されているか否か、即ち、端末３０を操作する患者がシステム１に登録されているか否かを判定する。ここでは、受信した接続ＩＤ及びパスワードは、端末管理表２２ｂに関連付けられて記録されているとする。もし、受信した接続ＩＤ及びパスワードと関連付けられている端末ＩＤが端末管理表２２ｂに記録されていない場合、処理部２１は、端末３０のシステム１への接続を許容しない。
【０１０８】
次に、ステップＳ１００５において、端末管理サーバ２０の処理部２１は、端末３０の表示部３３に表示する表示画面情報を生成して、通信部２５を用いて、ネットワークＮを介して端末３０へ送信する。
【０１０９】
次に、ステップＳ１００７において、端末３０の処理部３１は、通信部３５を用いて表示画面情報を受信し、表示画面情報に基づいて画像を生成して表示部３３に表示する。図１１は、表示部３３に表示された画像１１００を示す。画像１１００は、医療機器の情報を閲覧するために操作されるボタン１１０１と、ＣＰＡＰ治療に関するＦＡＱを閲覧するために操作されるボタン１１０２を含む。ここで、患者は、医療機器の情報を閲覧するために、端末３０の操作部３４を用いてボタン１１０１を操作したとする。
【０１１０】
次に、ステップＳ１００９において、端末３０の処理部３１は、通信部３５を用いて、医療機器の情報の閲覧を要求する閲覧要求を、ネットワークＮを介して端末管理サーバ２０へ送信する。
【０１１１】
次に、ステップＳ１０１１において、端末管理サーバ２０は、医療機器の情報の閲覧を要求する閲覧要求を受信する。端末管理サーバ２０の処理部２１は、記憶部２２に記憶されている端末管理表２２ｂを参照して、受信した接続ＩＤ及びパスワードと関連付けられているステータスの「本登録」を取得する。ステータスが「本登録」である場合、端末３０に対して、患者に固有の情報を含まない医療機器の取扱情報と共に、患者に固有の情報を含むマスク等の装具の取扱情報の送信が許容される。
【０１１２】
次に、ステップＳ１０１３において、端末管理サーバ２０の処理部２１は、医療機器の取扱情報及びマスク等の装具の取扱情報の閲覧を選択可能な選択画面情報を生成し、通信部２５を用いて、ネットワークＮを介して端末３０へ送信する。
【０１１３】
次に、ステップＳ１０１５において、端末３０の処理部３１は、通信部３５を用いて選択画面情報を受信し、選択画面情報に基づいて画像を生成して表示部３３に表示する。図１２は、表示部３３に表示された画像１２００を示す。画像１２００は、医療機器の取扱情報を閲覧するために操作されるボタン１２０１と、マスク等の装具の取扱情報を閲覧するために操作されるボタン１２０２を含む。ここで、患者は、マスク等の装具の取扱情報を閲覧するために、端末３０の操作部３４を用いてボタン１２０２を操作したとする。
【０１１４】
次に、ステップＳ１０１７において、端末３０の処理部３１は、通信部３５を用いて、マスク等の装具の取扱情報の閲覧を要求する閲覧要求を、ネットワークＮを介して端末管理サーバ２０へ送信する。
【０１１５】
次に、ステップＳ１０１９において、端末管理サーバ２０の処理部２１は、通信部２５を用いて、マスク等の装具の取扱情報の閲覧を要求する閲覧要求を受信する。
【０１１６】
次に、ステップＳ１０２１において、端末管理サーバ２０の処理部２１は、記憶部２２に記憶されている端末管理表２２ｂを参照して、受信した接続ＩＤ及びパスワードと関連付けられているマスク等ＩＤを取得する。そして、処理部２１は、マスク等ＩＤと関連付けられているマスク等の装具の取扱情報を、記憶部２２に記憶されているマスク等データ２２ｄから読み出す。処理部２１は、通信部２５を用いて、マスク等の装具の取扱情報を、ネットワークＮを介して端末３０へ送信する。
【０１１７】
次に、ステップＳ１０２３において、端末３０の処理部３１は、通信部３５を用いて、マスク等の装具の取扱情報を受信し、表示部３３に表示する。患者は、表示部３０に表示されたマスク等の装具の取扱情報を閲覧することにより、所望の情報を得ることができる。
【０１１８】
次に、患者がシステム１に対して「仮登録」がなされた患者が、端末３０を用いて、医療機器の情報を閲覧する際のシステム１の動作を、図１３を参照しながら以下に説明する。
【０１１９】
まず、ステップＳ１３０１において、端末３０の処理部３１は、患者に操作されて、接続ＩＤ、パスワード、及びシステム１への接続を要求する接続要求を、通信部３５を用いて、ネットワークＮを介して端末管理サーバ２０へ送信する。
【０１２０】
次に、ステップＳ１３０３において、端末管理サーバ２０は、接続ＩＤ、パスワード及び接続要求を受信する。そして、端末管理サーバ２０の処理部２１は、記憶部２２に記憶されている端末管理表２２ｂを参照して、受信した接続ＩＤ及びパスワードが端末管理表２２ｂに関連付けられて記録されているか否かを判定する。ここでは、受信した接続ＩＤ及びパスワードは、端末管理表２２ｂに関連付けられて記録されているとする。
【０１２１】
次に、ステップＳ１３０５において、端末管理サーバ２０の処理部２１は、端末３０の表示部３３に表示する表示画面情報を生成して、通信部２５を用いて、ネットワークＮを介して端末３０へ送信する。
【０１２２】
次に、ステップＳ１３０７において、端末３０の処理部３１は、通信部３５を用いて表示画面情報を受信し、表示画面情報に基づいて画像を生成して表示部３３に表示する。図１１は、表示部３３に表示された画像１１００を示す。画像１１００は、医療機器の情報を閲覧するために操作されるボタン１１０１と、ＣＰＡＰ治療に関するＦＡＱを閲覧するために操作されるボタン１１０２を含む。ここで、患者は、医療機器の情報を閲覧するために、端末３０の操作部３４を用いてボタン１１０１を操作したとする。
【０１２３】
次に、ステップＳ１３０９において、端末３０の処理部３１は、通信部３５を用いて、医療機器の情報の閲覧を要求する閲覧要求を、ネットワークＮを介して端末管理サーバ２０へ送信する。
【０１２４】
次に、ステップＳ１３１１において、端末管理サーバ２０は、医療機器の情報の閲覧を要求する閲覧要求を受信する。端末管理サーバ２０の処理部２１は、記憶部２２に記憶されている端末管理表２２ｂを参照して、受信した接続ＩＤ及びパスワードと関連付けられているステータスの「仮登録」を取得する。ステータスが「仮登録」である場合、端末３０に対して、患者に固有の情報を含まない医療機器の取扱情報の送信は許容されるが、患者に固有の情報を含むマスク等の取扱情報の送信は許容されない。
【０１２５】
次に、ステップＳ１３１３において、端末管理サーバ２０の処理部２１は、医療機器の取扱情報の閲覧は選択可能であるが、マスク等の取扱情報の閲覧は選択可能でない選択画面情報を生成し、通信部２５を用いて、ネットワークＮを介して端末３０へ送信する。
【０１２６】
次に、ステップＳ１３１５において、端末３０の処理部３１は、通信部３５を用いて選択画面情報を受信し、選択画面情報に基づいて画像を生成して表示部３３に表示する。図１４は、表示部３３に表示された画像１４００を示す。画像１４００では、医療機器の取扱情報を閲覧するために操作されるボタン１４０１は、操作可能に表示されているが、マスク等の取扱情報を閲覧するボタン１４０２は、操作可能には表示されていないので、患者は、閲覧できないことを認識する。患者は、医療機器の取扱情報を閲覧するために、端末３０の操作部３４を用いてボタン１４０１を操作したとする。
【０１２７】
次に、ステップＳ１３１７において、端末３０の処理部３１は、通信部３５を用いて、医療機器の取扱情報の閲覧を要求する閲覧要求を、ネットワークＮを介して端末管理サーバ２０へ送信する。
【０１２８】
次に、ステップＳ１３１９において、端末管理サーバ２０の処理部２１は、通信部２５を用いて、医療機器の取扱情報の閲覧を要求する閲覧要求を受信する。
【０１２９】
次に、ステップＳ１３２１において、端末管理サーバ２０の処理部２１は、記憶部２２に記憶されている端末管理表２２ｂを参照して、受信した接続ＩＤ及びパスワードと関連付けられている医療機器ＩＤを取得する。そして、処理部２１は、取得された医療機器ＩＤと関連付けられている医療機器の取扱情報を、記憶部２２に記憶されている医療機器取扱データ２２ｃから読み出す。処理部２１は、通信部２５を用いて、医療機器の取扱情報を、ネットワークＮを介して端末３０へ送信する。
【０１３０】
次に、ステップＳ１３２３において、端末３０の処理部３１は、通信部３５を用いて、医療機器の取扱情報を受信し、表示部３３に表示する。患者は、表示部３０に表示された医療機器の取扱情報を閲覧することにより、所望の情報を得ることができる。
【０１３１】
上述した説明では、患者は、図１１に示す画面表示に対して、医療機器の情報を閲覧するために操作されるボタン１１０１を操作していたが、患者は、ＣＰＡＰ治療に関するＦＡＱを閲覧するために操作されるボタン１１０２を操作してもよい。この場合、端末管理サーバ２０は、端末管理表２２ｂを参照して、受信した接続ＩＤ及びパスワードと関連付けられている医療機器ＩＤを取得し、医療機器ＩＤと関連付けられているＦＡＱ情報を、記憶部２２のＦＡＱデータ２２ｆから読み出して、端末３０へ送信する。患者は、端末３０に表示されるＣＰＡＰ治療に関するＦＡＱを閲覧して、疑問点を解消できる。ＦＡＱ情報は、医療機器ＩＤと関連付けられている医療機器に関する情報以外にも、一般的なＣＰＡＰ治療に関する情報を含んでいてもよい。
【０１３２】
上述した本実施形態のシステムによれば、医療機器を用いて在宅療法を受ける患者に対してのみシステムへの登録が許容される。また、システムによれば、複数の患者が使用する異なる医療機器の内、医療機器に関する情報の閲覧を求める患者が在宅療法で用いる医療機器に関する情報だけを提供するので、患者が使用していない他の医療機器の情報を誤って閲覧することが防止される。これにより、医療機器の誤った使用を防止できる。また、システムによれば、患者に固有の情報を含む医療機器に関する情報を第３者に対して秘匿すると共に、医療機器を用いて在宅療法を受ける患者に対しては、当該医療機器に関する情報を提供できる。
【０１３３】
本発明では、上述した実施形態の医療機器を用いて在宅療法を受けるユーザに対してシステムへの登録を許可するサーバ、システム、端末及び方法は、本発明の趣旨を逸脱しない限り適宜変更が可能である。
【０１３４】
例えば、上述した実施形態では、患者のシステムへの登録を、端末管理サーバの記憶に記憶される端末管理表２２ｂのステータス欄への本登録又は仮登録を記録することにより行っていたが、これに限定されるものではない。例えば、患者のシステムへの登録は、端末管理サーバとは異なる、データベースに記憶される端末管理表２２ｂのステータス欄への本登録又は仮登録を記録することにより行ってもよい。
【０１３５】
また、上述した実施形態では、端末は１つだけ示されているが、システムは複数の端末を有していてもよいことは言うまでもない。
【０１３６】
また、上述した実施形態では、端末は、システムへの登録する際に、患者を識別する患者識別情報としての電話番号と、医療機器を識別する機器識別情報としての機台番号及びシリアル番号を、端末管理サーバへ送信していたが、端末は、機台番号及びシリアル番号の内の何れか１つを端末管理サーバへ送信して、システムへの登録を行ってもよい。
【０１３７】
また、上述した実施形態では、患者は、端末を用いて、ネットワークを介して、認証情報を端末管理サーバへ送信していたが。患者は、端末管理サーバの操作部を操作して、認証情報を端末管理サーバへ入力してもよい。また、端末管理サーバは、表示部又は印刷装置等を用いて患者が使用する医療機器の情報を出力して、患者に対して提供してもよい。
【符号の説明】
【０１３８】
１    システム
１０    患者情報管理サーバ
１１    処理部
１２    記憶部
１２ａ    コンピュータプログラム
１２ｂ    患者情報管理表
１３    表示部
１４    操作部
１５    通信部
２０    端末管理サーバ
２１    処理部
２２    記憶部
２２ａ    コンピュータプログラム
２２ｂ    端末管理表
２２ｃ    医療機器取扱データ
２２ｄ    マスク等データ
２２ｅ    指導データ
２２ｆ    ＦＡＱデータ
２３    表示部
２４    操作部
２５    通信部
３０    端末
３１    処理部
３２    記憶部
３３    表示部
３４    操作部
３５    通信部
４０    カスタマ管理サーバ
５０    医療情報管理サーバ
Ｎ    ネットワーク
【図１】
2019215720.tif 000003
【図２】
2019215720.tif 000004
【図３】
2019215720.tif 000005
【図４】
2019215720.tif 000006
【図５】
2019215720.tif 000007
【図６】
2019215720.tif 000008
【図７】
2019215720.tif 000009
【図８】
2019215720.tif 000010
【図９】
2019215720.tif 000011
【図１０】
2019215720.tif 000012
【図１１】
2019215720.tif 000013
【図１２】
2019215720.tif 000014
【図１３】
2019215720.tif 000015
【図１４】
2019215720.tif 000016